(57)【要約】【課題】持ち易さの向上を図ることのできる容器を提供する。【解決手段】容器１は、平面視略矩形状の底壁構成部２と、底壁構成部２の各側辺部からそれぞれ上方に延出する側壁部３、４とを備え、内側に物品を収容可能な収容空間５を有している。短辺側側壁部４は、当該短辺側側壁部４の内面を構成する内面構成壁部１１の上縁部を含む部位を外方に変形させるようにして設けられた張出し部１２と、張出し部１２の下縁部から内方に突出する把持部１３とを備えるとともに、把持部１３の下方に隣接して内面構成壁部１１を貫通する透孔１４が設けられている。【選択図】      図７
2020186045.tif 000002
【特許請求の範囲】
【請求項１】
平面視略矩形状の底壁構成部と、前記底壁構成部の各側辺部からそれぞれ上方に延出する側壁部とを備え、内側に物品を収容可能な収容空間を有する容器において、
前記側壁部は、当該側壁部の内面を構成する内面構成壁部の上縁部を含む部位を外方に変位、又は、変形させるようにして設けられた張出し部と、前記張出し部の下縁部から内方に突出する把持部とを備えるとともに、前記把持部の下方に隣接して前記内面構成壁部を貫通する透孔が設けられていることを特徴とする容器。
【請求項２】
下側の容器の前記収容空間に対し上側の容器を挿入させるようにして容器同士を積み重ねる容器のネスティングが可能に構成され、
前記把持部の内側端縁は、前記内面構成壁部の内面と面一、又は、前記内面構成壁部の内面よりも外方に位置していることを特徴とする請求項１に記載の容器。
【請求項３】
前記張出し部は、当該張出し部が設けられた前記側壁部の横幅方向の一部に設けられていることを特徴とする請求項１又は２に記載の容器。
【請求項４】
前記把持部の下面側は、当該把持部が設けられた前記側壁部の横幅方向において、前記把持部の中央部が下方に突出するようにして湾曲していることを特徴とする請求項１乃至３のいずれかに記載の容器。
【請求項５】
前記把持部と、前記張出し部との境界部は断面略円弧状をなし、
前記内面構成壁部の上縁部から外方に延出する上フランジ部を備え、
前記上フランジ部のうち少なくとも前記張出し部の上縁部から外方に延出する部位に関し、当該上フランジ部の外縁部を含む部位が外方に向けて下方に傾斜する傾斜部として構成されるとともに、前記傾斜部とされる境界部が断面略円弧状をなしていることを特徴とする請求項１乃至４のいずれかに記載の容器。
【発明の詳細な説明】
【技術分野】
【０００１】
本発明は、物品の運搬等に使用される容器に関するものである。
【背景技術】
【０００２】
従来、平面視略矩形状の底壁構成部と、底壁構成部の各側辺部からそれぞれ上方に延びる側壁部とを備え、内側に物品を収容可能な収容空間を有する容器において、側壁部の上部に透孔が設けられ、作業者が透孔に指を差し入れて透孔の上方部位（持ち手部）を把持可能に構成されたものが知られている（例えば、特許文献１等参照。）。また、上側の容器を下側の容器の収容空間に挿入させるようにして積み重ねる（ネスティングする）ことが可能な容器も知られている。
【先行技術文献】
【特許文献】
【０００３】
【特許文献１】特許第２５７９８５５号公報
【発明の概要】
【発明が解決しようとする課題】
【０００４】
ところで、特許文献１に記載の容器は、略板状の側壁部に透孔を設けることのみで持ち手部を構成しており、比較的重い物品が容器に収容されている場合等においては、持ち手部を手で掴んで持ち運ぶ場合に、手への負担が大きくなることが懸念される。また、容器のネスティング状態において、上側の容器の透孔の外方側が下側の容器の側壁部で閉塞されたり、下側の容器の透孔の内方側が上側の容器の側壁部で閉塞されたりする場合には、透孔に指先を挿入させることが不可能なだけではなく、透孔の上縁部に指先を掛けることも困難となり、持ち手部が上手く機能しなくなってしまうおそれがある。
【０００５】
本発明は、上記例示した問題点等を解決するためになされたものであって、その目的は、持ち易さの向上を図ることのできる容器を提供することにある。
【課題を解決するための手段】
【０００６】
以下、上記課題等を解決するのに適した各手段につき項分けして説明する。なお、必要に応じて対応する手段に特有の作用効果等を付記する。
【０００７】
手段１．平面視略矩形状の底壁構成部と、前記底壁構成部の各側辺部からそれぞれ上方に延出する側壁部とを備え、内側に物品を収容可能な収容空間を有する容器において、
前記側壁部は、当該側壁部の内面を構成する内面構成壁部の上縁部を含む部位を外方に変位、又は、変形させるようにして設けられた張出し部と、前記張出し部の下縁部から内方に突出する把持部とを備えるとともに、前記把持部の下方に隣接して前記内面構成壁部を貫通する透孔が設けられていることを特徴とする容器。
【０００８】
手段１によれば、作業者が透孔に指を差し入れて透孔の上方部位（持ち手部）を把持可能な構成において、透孔の上縁部を構成する把持部は、内面構成壁部よりも外方に位置する張出し部の下縁部から内方に突出して設けられている。このため、例えば、側壁部（内面構成壁部）に単に透孔を設けただけで、その上方部位を持ち手部として把持する構成に比べ、持ち手部のうち指を下側から掛けられる持ち手部の下面の面積を増やすことができる。従って、容器を持ち上げる手に対して局所的に荷重が付加されることを抑止することができ、手への負担軽減等を図ることができる。結果として、容器の持ち易さの向上を図ることができ、持ち手部を把持して容器を運搬等する場合の作業性の向上等を図ることができる。
【０００９】
尚、例えば、側壁部の上辺部から外方に延出する上フランジ部を備える場合であって、上フランジ部のうち張出し部に対応する部位は、内面構成壁部の上縁部が外方に変位又は変形させられていることに伴って切欠かれたような形状とされる場合には、例えば、張出し部を設けることなく、側壁部（内面構成壁部）に透孔を設けるとともに、該透孔の上縁部から外方に突出して上フランジ部の下面と対向する把持部を設けるといった構成に比べ、容器を成形する金型構造の簡素化等を図ることができる。加えて、把持部の外縁部側が張出し部と連結されていることから、把持部の外縁部側の強度を高めることができ、把持部の下面に指を掛けて容器を持ち上げる等した場合に把持部が変形及び損傷する等の事態を防止することができる。
【００１０】
手段２．下側の容器の前記収容空間に対し上側の容器を挿入させるようにして容器同士を積み重ねる容器のネスティングが可能に構成され、
前記把持部の内側端縁は、前記内面構成壁部の内面と面一、又は、前記内面構成壁部の内面よりも外方に位置していることを特徴とする手段１に記載の容器。
【００１１】
手段２によれば、容器をネスティングすることで、運搬効率、及び、保管効率の向上等を図ることができる。さらに、把持部がネスティングの妨げになることを回避することができ、より効率よくネスティングを行うことができる上、把持部の損傷を抑止することができる。
【００１２】
尚、「容器のネスティング状態において、上側の容器の前記側壁部の下辺部は、下側の容器の前記透孔の下縁部よりも下方に位置していること」としてもよい。この場合、ネスティング効率の向上（ネスティング状態とされた複数の容器の高さを極力低くして、搬送効率等を向上させる）が図られる。さらに、当該構成を採用する場合、容器のネスティング状態において、下側の容器の透孔の内方側が上側の容器の側壁部で閉塞されるが、上記手段１に記載のように、透孔の上方に隣接して（透孔の上縁部に連続して）把持部が設けられていることにより、下側の容器の透孔に挿通させようとした指が上側の容器の側壁部に突き当たったとしても、所定の面積を有する下側の容器の把持部の下面に指先を掛けて、ネスティングされた複数の容器を持ち上げることができる。
【００１３】
また、「容器のネスティング状態において、上側の容器の前記透孔の下縁部は、下側の容器の前記側壁部の上辺部よりも下方に位置していること」としてもよいし、さらに、「容器のネスティング状態において、上側の容器の前記透孔の上縁部（前記把持部の下面）は、下側の容器の前記側壁部の上辺部よりも下方に位置していること」としてもよい。この場合、より一層のネスティング効率の向上が図られる。また、当該構成を採用する場合、容器のネスティング状態において、上側の容器の透孔の少なくとも下部が下側の容器の内側に収容されるが、上記手段１に記載のように、透孔の上方位置に張出し部が設けられることで、上側の容器の内方側から上側の容器の透孔を介して下側の容器の張出し部の内面が臨める位置関係とすることができ、上側の容器の把持部の下方（上側の容器の把持部と、下側の容器の把持部との間）に作業者の指先を挿入可能なスペースを確保することが可能となる。従って、ネスティング状態にある容器のうち上側の容器を１つずつ取出す場合に、上側の容器の内側から透孔を介して、上側の容器の透孔の上縁部、及び、把持部の下面に指先を掛けて、上側の容器を持ち上げることができる。
【００１４】
但し、「容器のネスティング状態において、上側の容器の前記把持部と、下側の容器の前記把持部とは上下に離間していること」とする。これにより、上側の容器の把持部と、下側の容器の把持部との間に指先を挿入可能なスペースを確実に確保することができる。
【００１５】
手段３．前記張出し部は、当該張出し部が設けられた前記側壁部の横幅方向の一部に設けられていることを特徴とする手段１又は２に記載の容器。
【００１６】
手段３によれば、張出し部が設けられる側壁部（内面構成壁部）に関し、当該側壁部の横幅方向において、張出し部が設けられていない部位が存在する。つまり、容器をネスティングした場合、下側の容器の側壁部（内面構成壁部）の内面によって、上側の容器の外方側への変位が規制されることとなるが、上記のように張出し部が設けられていない部位を設けることで、側壁部（内面構成壁部）の内面が側壁部の上辺部にまで略面一に延在する部位を設けることができる。このため、容器のネスティングに際し、上側の容器の側壁部の外面を、下側の容器の側壁部の上辺部から当該側壁部の内面に沿わせつつ、上側の容器を下側の容器に挿入させることができ、上側の容器の下面が、下側の容器の把持部の上面と対向して当接する位置まで相対変位してしまうといった事態を回避することができる。従って、容器のネスティングを行う際等の作業性の向上等を図ることができる。
【００１７】
手段４．前記把持部の下面側は、当該把持部が設けられた前記側壁部の横幅方向において、前記把持部の中央部が下方に突出するようにして湾曲していることを特徴とする手段１乃至３のいずれかに記載の容器。
【００１８】
手段４によれば、把持部の下面形状を、手を自然に握った場合の指の並びに合わせた形状とすることができ、透孔を介して透孔の上方部位（持ち手部）をより持ち易くすることができる。
【００１９】
手段５．前記把持部と、前記張出し部との境界部は断面略円弧状をなし、
前記内面構成壁部の上縁部から外方に延出する上フランジ部を備え、
前記上フランジ部のうち少なくとも前記張出し部の上縁部から外方に延出する部位に関し、当該上フランジ部の外縁部を含む部位が外方に向けて下方に傾斜する傾斜部として構成されるとともに、前記傾斜部とされる境界部が断面略円弧状をなしていることを特徴とする手段１乃至４のいずれかに記載の容器。
【００２０】
手段５によれば、透孔に指先を挿入して透孔の上方部位（持ち手部）を握る手に当接する部位から極力角部をなくすとともに、手との当接面積を増やすことができる。従って、容器を持ち易くするといった作用効果がより一層奏される。
【図面の簡単な説明】
【００２１】
【図１】容器の上面側を示す斜視図である。
【図２】容器の下面側を示す斜視図である。
【図３】容器の平面図である。
【図４】容器の側面図である。
【図５】図３のＡ−Ａ線断面図である。
【図６】ネスティング状態にある容器の斜視図である。
【図７】ネスティング状態にある容器の断面図である。
【図８】ハンドルが取付けられた容器を示す斜視図である。
【図９】別の実施形態の容器を示す斜視図である。
【図１０】別の実施形態の容器をネスティングした状態を示す斜視図である。
【図１１】別の実施形態の容器をネスティングした状態を示す断面図である。
【発明を実施するための形態】
【００２２】
以下に、一実施形態について図面を参照して説明する。図１、図２等に示すように、容器１は、平面視略矩形状の底壁構成部２と、底壁構成部２の相対する一対の長側辺部からそれぞれ上方に延出する長辺側側壁部３と、底壁構成部２の相対する一対の短側辺部からそれぞれ上方に延出する短辺側側壁部４とを備え、内側に物品を収容可能な収容空間５を有している。本実施形態の長辺側側壁部３、及び、短辺側側壁部４は、上方に向けて容器１の外方に傾斜して延びている。これにより、図６等に示すように、下側の容器１の収容空間５に対し上側の容器１を挿入させるようにして容器１同士を積み重ねること（ネスティング）が可能に構成されている。また、容器１は、ポリプロピレンによって一体的に形成されている。
【００２３】
図１、図５等に示すように、各短辺側側壁部４は、短辺側側壁部４の内面を構成する内面構成壁部１１の上縁部を含む部位を外方に変形させるようにして設けられた水平断面略円弧状の張出し部１２と、張出し部１２の下縁部から内方に突出して内面構成壁部１１と連結される把持部１３とを備えている。張出し部１２は、短辺側側壁部４の横幅方向中央部を含む範囲において、短辺側側壁部４の上辺部の長さの１／３程度の長さの範囲に設けられている。さらに、把持部１３の下方に隣接して内面構成壁部１１を貫通する透孔１４が設けられている。本実施形態では、作業者が透孔１４に指を差し入れて透孔１４の上方部位（以下、「持ち手部１５」と称する）を把持可能（例えば、内面構成壁部１１の上縁部に親指の付け根を掛けるとともに、把持部１３の下面側に人差し指、中指、薬指の第１関節又は第２関節を掛けることが可能）となっている。
【００２４】
尚、本実施形態では、内面構成壁部１１のうち、把持部１３の下方に隣接する部位、及び、把持部１３の上方部位は切欠かれており、内面構成壁部１１のうち把持部１３と連結された部位は、把持部１３の厚みと同じであって、上面及び下面が把持部１３の上面及び下面と面一である。このため、内面構成壁部１１のうち把持部１３と連結された部位を把持部１３の一部として捉えることも可能であり、その場合には、把持部１３の内側端縁が、内面構成壁部１１の内面と面一となる。
【００２５】
加えて、図５に示すように、把持部１３と、張出し部１２との境界部は断面略円弧状をなしている。さらに、図４に示すように、把持部１３の下面側は、当該把持部１３が設けられた短辺側側壁部４の横幅方向において、把持部１３の中央部が下方に突出するようにして湾曲している。このため、透孔１４の上縁部についても、横幅方向中央部が下方に突出するようにして湾曲し、また、透孔１４の下縁部についても、透孔１４の横幅方向中央部の上下幅が短くならないように、横幅方向中央部が下方に突出するようにして湾曲している。尚、透孔１４の上縁部、及び、下縁部と、側縁部との境界部は円弧状に形成されている。また、図５に示すように、透孔１４の下縁部から外方に比較的小さく突出する縁突部１６が設けられている。
【００２６】
また、図１、図３等に示すように、容器１は、長辺側側壁部３、及び、短辺側側壁部４の上辺部から外方に延出する上フランジ部１７を備えている。短辺側側壁部４に対応しては、上フランジ部１７は内面構成壁部１１の上縁部から外方に延出し、特に、張出し部１２に対応しては、図５に示すように、上フランジ部１７は張出し部１２の上縁部から外方に延出している。
【００２７】
さらに、上フランジ部１７は、長辺側側壁部３、及び、短辺側側壁部４の上辺部（内面構成壁部１１の上縁部）から外方に延出する基部１８と、基部１８の外縁部から外方に向けて基部１８に比べて下方に大きく傾斜する傾斜部１９とを備え、基部１８と、傾斜部１９との境界部が断面略円弧状をなしている。基部１８の外縁部は、張出し部１２の外面よりも外方に位置しており、上フランジ部１７のうち張出し部１２に対応する部位に関しても、基部１８、及び、傾斜部１９を備えている。
【００２８】
図１等に示すように、各長辺側側壁部３の上辺部の中央部を含む部位には、上フランジ部１７を上方により大きく突出させるようにして制限突部２１が設けられている。各制限突部２１の裏面側には、制限突部２１と、長辺側側壁部３の外面との間を連結する一対の制限リブ２２が設けられ、制限リブ２２の下縁部は、上フランジ部１７の外縁部（下端部）よりも下方、かつ、透孔１４よりも上方に位置している。図６に示すように、容器１をネスティングした場合には、上側の容器１の制限リブ２２が、下側の容器１の制限突部２１の上面に当接し、下側の容器１に対する上側の容器１のそれ以上の挿入が規制されるようになっている。
【００２９】
また、図７に示すように、本実施形態では、容器１のネスティング状態において、上側の容器１の透孔１４の上縁部は、下側の容器１の短辺側側壁部４の上辺部とほぼ同じ高さ（上側の容器１の透孔１４の上縁部の方が若干高い）となっている。尚、図２等に示すように、上フランジ部１７の裏面側においても、各長辺側側壁部３の両側部付近、及び、各短辺側側壁部４の両側部付近に対応して、上フランジ部１７と、長辺側側壁部３、又は、短辺側側壁部４との間を連結する補強リブ２３が設けられている。
【００３０】
また、図８等に示すように、各長辺側側壁部３の制限突部２１の両端部には、略コ字状のハンドル２４を回動可能に連結する連結部２５が設けられている。そして、ハンドル２４の一端部を一方の長辺側側壁部３の連結部２５と連結し、ハンドル２４の他端部を他方の長辺側側壁部３の連結部２５と連結することで、ハンドル２４が長辺側側壁部３に連結される。また、ハンドル２４は一対で取付けられ、一対のハンドル２４を起立させて互いに当接させることが可能である。
【００３１】
さらに、ハンドル２４を寝かせた状態では、ハンドル２４は、長辺側側壁部３、及び、短辺側側壁部４の上辺部に当接して支持される。寝かせ位置にあるハンドル２４は、制限突部２１の上面よりも若干下方に位置している（寝かせ位置とされたハンドル２４のうち上方を向いている側面部の一部又は全部を制限突部２１の上面を同じ高さとしてもよい）。加えて、ハンドル２４を寝かせた状態では、ハンドル２４は、長辺側側壁部３、及び、短辺側側壁部４の上辺部に沿って延在し、特に、張出し部１２に対応する部位については、張出し部１２の形状に対応して湾曲形状をなしている。このため、ハンドル２４を寝かせた状態とすれば、ハンドル２４を取付けた状態であっても容器１をネスティング可能である上、把持部１３の上方がハンドル２４で閉塞されないようになっている。尚、ハンドル２４は断面略楕円形状をなしており（寝かせ位置とした場合に側壁部３、４の上辺部に当接する部位については平坦面としてもよい）、持ち手部１５とともにハンドル２４を握って容器１を持ち上げることも可能である。
【００３２】
また、図１等に示すように、長辺側側壁部３の制限突部２１の下方位置には、店名等が記載される情報部２６が設けられている。さらに、図２に示すように、底壁構成部２の下面側には、底壁構成部２の外周に沿って下方に突出する矩形枠状の支持枠部２７と、支持枠部２７の内側において支持枠部２７の間を連結する支持補強部２８とが設けられている。底壁構成部２の４隅と、中央部とに対応して、支持枠部２７、及び、支持補強部２８が下方に突出しており、当該部位が床面等の設置面に当接して支持されるようになっている。尚、図７に示すように、容器１のネスティング状態において、上側の容器１の支持枠部２７、及び、支持補強部２８は、下側の容器１の底壁構成部２から上方に離間している。加えて、図１等に示すように、長辺側側壁部３、短辺側側壁部４、及び、底壁構成部２には、矩形状の開口部が行列状に設けられており、軽量化等が図られている。
【００３３】
以上詳述したように、本実施形態によれば、作業者が透孔１４に指を差し入れて透孔１４の上方部位（持ち手部１５）を把持可能な構成において、透孔１４の上縁部を構成する把持部１３は、内面構成壁部１１よりも外方に位置する張出し部１２の下縁部から内方に突出して設けられている（図５参照）。このため、例えば、短辺側側壁部４（内面構成壁部１１）に単に透孔を設けただけで、その上方部位を持ち手部として把持する構成に比べ、持ち手部１５のうち指を下側から掛けられる持ち手部１５の下面の面積を増やすことができる。従って、容器１を持ち上げる手に対して局所的に荷重が付加されることを抑止することができ、手への負担軽減等を図ることができる。結果として、容器１の持ち易さの向上を図ることができ、持ち手部１５を把持して容器１を運搬等する場合の作業性の向上等を図ることができる。
【００３４】
尚、例えば、張出し部１２を設けることなく、短辺側側壁部４（内面構成壁部１１）に透孔を設けるとともに、該透孔の上縁部から外方に突出して上フランジ部の下面と対向する把持部を設けるといった構成に比べ、容器１（特に、上フランジ部１７と、把持部との間の部分）を成形する金型構造の簡素化等を図ることができる。加えて、把持部１３の外縁部側が張出し部１２と連結されていることから、把持部１３の外縁部側の強度を高めることができ、把持部１３の下面に指を掛けて容器１を持ち上げる等した場合に把持部１３が変形及び損傷する等の事態を防止することができる。
【００３５】
また、容器１はネスティング可能に構成され、物品を収容していない容器１の運搬効率、及び、保管効率の向上等を図ることができる。さらに、把持部１３の内側端縁は、内面構成壁部１１の内面よりも外方に位置している（又は、面一である）。このため、把持部１３がネスティングの妨げになることを回避することができ、より効率よく（上側の容器１の下側の容器１への挿入長をより深くして）ネスティングを行うことができる上、把持部１３の損傷を抑止することができる。
【００３６】
また、容器１のネスティング状態において、上側の容器１の透孔１４の下縁部は、下側の容器１の短辺側側壁部４の上辺部よりも下方に位置している（図７参照）。これにより、ネスティング効率の向上（ネスティング状態とされた複数の容器１の高さを極力低くして、搬送効率等を向上させる）が図られる。さらに、容器１のネスティング状態において、下側の容器１の透孔１４の内方側が上側の容器１の短辺側側壁部４（内面構成壁部１１）で閉塞されるが、上記のように、透孔１４の上方に隣接して（透孔１４の上縁部に連続して）把持部１３が設けられていることにより、下側の容器１の透孔１４に挿通させようとした指が上側の容器１の短辺側側壁部４に突き当たったとしても、所定の面積を有する下側の容器１の把持部１３の下面に指先を掛けて、ネスティングされた複数の容器１を持ち上げることができる。
【００３７】
加えて、本実施形態では、容器１のネスティング状態において、上側の容器１の透孔１４の上縁部が、下側の容器１の短辺側側壁部４の上辺部とほぼ同じ高さとなっており、上側の容器１の透孔１４の大部分が下側の容器１の内側に収容される。この点、上記のように、透孔１４の上方位置に張出し部１２が設けられていることにより、上側の容器１の内方側から、上側の容器１の透孔１４を介して下側の容器１の張出し部１２の内面が臨める位置関係となる。このため、上側の容器１の把持部１３の下方（上側の容器１の把持部１３と、下側の容器１の把持部１３との間）に作業者の指先を挿入可能なスペースを確保することができる。従って、ネスティング状態にある容器１のうち上側の容器１を１つずつ取出す場合に、上側の容器１の内側から透孔１４を介して、上側の容器１の透孔１４の上縁部、及び、把持部１３の下面に指先を掛けて、上側の容器１を持ち上げることができる。
【００３８】
また、張出し部１２は、当該張出し部１２が設けられた短辺側側壁部４の横幅方向において中央部を含む範囲に設けられており、短辺側側壁部４のうち各側辺部を含む部位は、張出し部１２が設けられていない部位となっている。つまり、容器１をネスティングした場合、下側の容器１の短辺側側壁部４（内面構成壁部１１）の内面によって、上側の容器１の（容器１の長手幅方向における）外方側への変位が規制されることとなるが、上記のように短辺側側壁部４の横幅方向において張出し部１２が設けられていない部位を設けることで、短辺側側壁部４（内面構成壁部１１）の内面が短辺側側壁部４の上辺部にまで略面一に延在する部位を設けることができる。このため、容器１のネスティングに際し、上側の容器１の短辺側側壁部４の外面を、下側の容器１の短辺側側壁部４の上辺部から当該短辺側側壁部４の内面に沿わせつつ、上側の容器１を下側の容器１に挿入させることができ、上側の容器１の下面が、下側の容器１の把持部１３の上面と対向して当接する位置まで相対変位してしまうといった事態を回避することができる。従って、容器１のネスティングを行う際等の作業性の向上等を図ることができる。
【００３９】
さらに、把持部１３の下面側は、当該把持部１３が設けられた短辺側側壁部４の横幅方向において、把持部１３の中央部が下方に突出するようにして湾曲している。このため、把持部１３の下面形状を、手を自然に握った場合の指の並びに合わせた形状とすることができ、透孔１４を介して透孔１４の上方部位（持ち手部１５）をより持ち易くすることができる。
【００４０】
加えて、把持部１３と、張出し部１２との境界部は断面略円弧状をなしている。さらに、張出し部１２の上縁部から外方に延出する上フランジ部１７は、張出し部１２の上縁部から外方に延出する基部１８と、基部１８の外縁部から外方に向けて基部１８よりも下方に大きく傾斜する傾斜部１９とを備え、基部１８と傾斜部１９との境界部が断面略円弧状をなしている。このため、透孔１４に指先を挿入して透孔１４の上方部位（持ち手部１５）を握る手に当接する部位から極力角部をなくすとともに、手との当接面積を増やすことができる。従って、容器１を持ち易くするといった作用効果がより一層奏される。
【００４１】
尚、上記実施形態の記載内容に限定されず、例えば次のように実施してもよい。勿論、以下において例示しない他の応用例、変更例も当然可能である。
【００４２】
（ａ）上記実施形態では、ネスティングが可能な容器１に具体化されているが、例えば、ネスティング、及び、スタッキング（物品を収容した容器の段積み）の両方が可能な容器に適用することも可能である。例えば、図９〜図１１に示す容器３１は、側壁部３２、３３の上辺部から外方に突出する上フランジ部３４と、側壁部３２、３３の外面から突出する支持部３５と、側壁部３２、３３の内面側に設けられた受容部３６とを備えている。
【００４３】
図１０、図１１に示すように、下側の容器３１に対して上側の容器３１を水平に１８０度回転させた向きで上下に積み重ねることで、上側の容器３１の支持部３５が、下側の容器３１の受容部３６に挿入されて、容器３１のネスティングが行われるようになっている。その一方で、容器３１同士を同じ向きで上下に積み重ねることで、上側の容器３１の支持部３５は、下側の容器３１の受容部３６に挿入されず、長辺側側壁部３２の上フランジ部３４の上面に当接して支持されたり、受容部３６に隣接して受容部３６の底面よりも上方に底面が位置するようにして設けられたスタッキング用受容部３７に挿入され、その底面に当接して支持されたりして、スタッキングが行われるようになっている。
【００４４】
また、図９〜図１１の容器３１に関しても、短辺側側壁部３３の内面を構成する内面構成壁部３８の上縁部中央部を含む部位を外方に変位させるようにして設けられた張出し部３９と、張出し部３９の下縁部から内方に突出して内面構成壁部３８に連結される把持部４０と、把持部４０の下方に隣接して内面構成壁部３８を貫通する透孔４１とが設けられている。このように、把持部４０が設けられることによって、透孔４１の上方部位（持ち手部４２）の下面に相当する部位の面積を極力広く確保することができ、持ち手部４２を持って容器３１を持ち運び易くすることができる。尚、図９等に示す容器３１の張出し部３９は、内面構成壁部３８の上縁部を含む部位を外方に変位させるようにして略平板状に構成されており、張出し部３９の側縁部から内方に突出して内面構成壁部３８と連結される側板部４３が設けられている。また、容器３１には上記実施形態に記載されたようなハンドルを取付けられないようになっている。
【００４５】
さらに、容器３１のネスティング状態では、下側の容器３１の透孔４１の内方側が、上側の容器３１の短辺側側壁部３３で閉塞されているが、該透孔４１に指先を挿入させなくても、下側の容器３１の把持部４０の下面に指を掛けて、ネスティングされた容器３１をまとめて持ち運ぶことができる。
【００４６】
（ｂ）ネスティング状態において、上側の容器１を下側の容器１の収容空間５にどの程度挿入させるかについても適宜変更可能である。例えば、容器１のネスティング状態において、上側の容器１の透孔１４の上縁部（把持部１３の下面）を、下側の容器１の短辺側側壁部４の上辺部よりも下方に位置させることとしてもよい。すなわち、上記実施形態のように、張出し部１２が設けられることで、上側の容器１の把持部１３の下面を、下側の容器１の張出し部１２の内側に挿入させるようにして、上側の容器１の把持部１３を下側の容器１の内側に挿入させることが可能となる。
【００４７】
尚、ネスティングされた容器１から上段の容器１を１つずつ取出す作業を行う場合に、上段の容器１の収容空間５から、当該上段の容器１の透孔１４を介して、当該上段の容器１の把持部１３の下面に指を掛けて、当該上段の容器１を持ち上げるといった使い方をする場合には、容器１のネスティング状態において、上段の容器１の把持部１３と、下段の容器１の把持部１３との間に空間（指先を差し入れ可能なだけの空間）が形成されていることとする（上記例では制限突部２１及び制限リブ２２により確実に確保される）。尚、ネスティングが不可能な容器（スタッキングは可能でも不可能でもよい）に具体化することも可能である。
【００４８】
（ｃ）上記実施形態では、把持部１３の内側端縁が内面構成壁部１１と連結されているが、内面構成壁部１１のうち把持部１３と連結される部位が省略され、把持部１３の内側端縁が内面構成壁部１１の内面よりも外方に位置したり、把持部１３の内側端縁が内面構成壁部１１の内面よりも内方に位置したりするように構成してもよい。但し、把持部１３が内面構成壁部１１よりも内方に突出してしまうと、容器１のネスティングを行う際に上側の容器１の下面側が下側の容器の把持部１３に引っ掛かる等の事態を招くおそれがあるため、把持部１３の内側端縁は、内面構成壁部１１の内面と面一、又は、外方側に位置するように構成することが望ましい。尚、張出し部１２の内面と、把持部１３の上面との間を斜めに連結する補強用のリブを設けることとしてもよい。
【００４９】
（ｄ）上記実施形態では、張出し部１２に対応していない部位に設けられた上フランジ部１７に関しても、基部１８と、傾斜部１９とを備えて、基部１８と、傾斜部１９との境界部が断面略円弧状をなしているが、張出し部１２に対応する部位のみがそのように構成されることとしてもよい。また、上フランジ部１７のうち張出し部１２に対応する部位に関しても、上フランジ部１７の基部１８と傾斜部１９との境界部が断面略円弧状に構成されていなくてもよいし、上フランジ部１７が外端縁まで一直線状に構成されていてもよい。さらに、張出し部１２に対応する部位には上フランジ部１７が設けられない構成（上フランジ部１７の外縁部が、張出し部１２の外面と面一）としてもよい。この場合、把持部１３の下面を持ち手とする作用効果がより顕著に奏される。尚、上フランジ部１７の全体を省略することも可能である。
【００５０】
また、把持部１３の下面を短辺側側壁部４の横幅方向において平坦に形成してもよいし、把持部１３と張出し部１２との境界部を平面取り形状としてもよい。加えて、上記実施形態では特に言及していないが、透孔１４の上縁部の内端部側、上フランジ部１７の外端縁、及び、張出し部１２と上フランジ部１７との境界部を面取り形状としてもよい。
【００５１】
（ｅ）上記実施形態では、短辺側側壁部４に張出し部１２、把持部１３、及び、透孔１４が設けられているが、かかる構成に代えて、又は、加えて、長辺側側壁部３に張出し部１２、把持部１３、及び、透孔１４が設けられるように構成してもよい。また、上記実施形態では、容器１はポリプロピレンにより構成されているが、ポリエチレン、ＰＥＴ、ポリアミド等その他の樹脂材料により構成されることとしてもよい。
【符号の説明】
【００５２】
１…容器、２…底壁構成部、３…長辺側側壁部、４…短辺側側壁部、５…収容空間、１１…内面構成壁部、１２…張出し部、１３…把持部、１４…透孔、１５…持ち手部、１７…上フランジ部、１８…基部、１９…傾斜部。
【図１】
2020186045.tif 000003
【図２】
2020186045.tif 000004
【図３】
2020186045.tif 000005
【図４】
2020186045.tif 000006
【図５】
2020186045.tif 000007
【図６】
2020186045.tif 000008
【図７】
2020186045.tif 000009
【図８】
2020186045.tif 000010
【図９】
2020186045.tif 000011
【図１０】
2020186045.tif 000012
【図１１】
2020186045.tif 000013